(57)【特許請求の範囲】
【請求項１】
コンピュータ通信により情報を獲得する情報獲得手段と、
輝度信号から垂直同期信号、複合同期信号、およびバーストフラグを分離する信号分離手段と、
上記垂直同期信号から第１の信号を生成し、上記複合同期信号から第２の信号を生成し、生成された上記第１の信号、上記第２の信号、および上記バーストフラグからタイミング信号を生成するタイミング信号生成手段と、
上記情報のアスペクトレシオが１６：９の場合、上記生成されたタイミング信号に基づいて、上記垂直同期信号の立ち下がりから一定期間、カラーサブキャリア周波数を識別情報として色信号に重畳する信号重畳手段と、
上記識別情報が重畳された上記情報を表示させるために表示手段に送信する送信手段とを有し、
上記識別情報に従って、上記表示手段に上記情報を表示する信号処理装置。
【発明の詳細な説明】
【０００１】
【発明の属する技術分野】
この発明は、ＴＶ画面の表示モードを自動的に切り替えるための信号処理装置に関する。
【０００２】
【従来の技術】
従来、インターネット端末とＴＶの接続は、単にビデオ・オーディオ信号のみの接続である。最近流行しているアスペクトレシオ１６：９のワイドＴＶとインターネット端末とを接続した場合、その時選択されているワイドＴＶ側の表示モードでインターネット端末からの映像が表示される。
【０００３】
【発明が解決しようとする課題】
このため、ワイドＴＶ側の表示モードがワイド表示モードまたはズーム表示モードの場合、上下や左右の画像情報が欠落するので、もとの映像が全部画面に表示できず、特にインターネット端末で、左右上下端に表示する各種情報が表示できない問題があった。
【０００４】
インターネット端末からの映像を表示するときのみワイドＴＶ側でアスペクトレシオ４：３の表示モードに切り替えれば問題ないが、面倒である。さらに、インターネット端末からの映像の表示から、ＴＶ側の映像の表示に切り換えたときに、再度前の表示モードに切り替えるのは、煩雑であり面倒であった。
【０００５】
従って、この発明の目的は、表示しようとする画面全体を表示できるように自動的にＴＶ画面の表示モードを切り替える事ができる信号処理装置を提供することにある。
【０００６】
【課題を解決するための手段】
請求項１に記載の発明は、コンピュータ通信により情報を獲得する情報獲得手段と、輝度信号から垂直同期信号、複合同期信号、およびバーストフラグを分離する信号分離手段と、垂直同期信号から第１の信号を生成し、複合同期信号から第２の信号を生成し、生成された第１の信号、第２の信号、およびバーストフラグからタイミング信号を生成するタイミング信号生成手段と、情報のアスペクトレシオが１６：９の場合、生成されたタイミング信号に基づいて、垂直同期信号の立ち下がりから一定期間、カラーサブキャリア周波数を識別情報として色信号に重畳する信号重畳手段と、識別情報が重畳された情報を表示させるために表示手段に送信する送信手段とを有し、識別情報に従って、表示手段に情報を表示する信号処理装置である。
【０００７】
インターネット端末装置で獲得した情報をアスペクトレシオ１６：９のワイドＴＶに表示するときに、ワイドＩＤ信号をアスペクトレシオ４：３の固定モードにしてＡＶ信号に重畳してインターネット端末装置からワイドＴＶへ伝送する。そのＡＶ信号を受信したワイドＴＶでは、アスペクトレシオ４：３にして、インターネット端末装置から伝送される情報が表示される。
【０００８】
【発明の実施の形態】
以下、この発明の実施形態について図面を参照して説明する。図１は、この発明が適用された一実施形態の全体的構成を示す。１で示すインターネット端末装置は、電話回線２を介してプロバイダーのサーバ３と接続される。このインターネット端末装置１には、内蔵モデムまたはイーサネットが設けられており、その内蔵モデムまたはイーサネットから電話回線２を介してサーバ３に接続される。ユーザは、所望の情報を獲得するために、キーボード４またはキーパッド上のボタンを操作する。キーボード４からの信号は、赤外線を介してインターネット端末装置１に入力される。
【０００９】
インターネット端末装置１は、サーバ３からＨＴＭＬ形式のデータや、各種マルチメディアデータを受信し、端末装置１内のデコード機能で静止映像、文字、音声、アニメなどの画像および／または音声に変換する。変換された画像および／または音声は、ＡＶ信号線５を経由してアスペクトレシオ４：３のＴＶ６またはアスペクトレシオ１６：９のワイドＴＶ７（以下、単にＴＶと略した場合、ＴＶ６およびワイドＴＶ７の両方を含むものとする）に表示される。
【００１０】
この実施形態は、ＴＶを表示画面として利用するタイプのインターネット端末装置１から、ＡＶ信号線５を使って表示装置であるＴＶへワイドＩＤ信号を伝送するシステムである。具体的には、インターネット端末装置１側では、ワイドＩＤ信号を４：３の固定モードにしてＡＶ信号に重畳してＴＶ側へ送ることによって、インターネットで獲得した情報を表示するときに、ＴＶの表示アスペクトレシオを４：３で表示するシステムである。
【００１１】
このシステムにおいて、インターネット端末装置１にアスペクトレシオ４：３のＴＶ６が接続している場合、特に問題はないが、アスペクトレシオ１６：９のワイドＴＶ７が接続され、且つワイドＴＶ７側の表示モードがズーム表示モードに設定されている場合、インターネット端末装置１からの映像信号は、図２Ｂに示すように上下の端の表示が欠落することになり、重要な情報が表示されない。
【００１２】
これを防ぐため、予めワイドＴＶ７にアスペクトレシオ４：３で表示させるワイドＩＤ信号をＡＶ信号に重畳してインターネット端末装置１側から送信する。これによって、通常のアスペクトレシオ４：３のＴＶ６では、何も影響を与えず、１６：９のワイドＴＶ７やＨＤＴＶ上で表示するときに、図２Ａに示すようにアスペクトレシオ４：３の表示ができる。こうすることによって、インターネット端末装置１からの映像信号をワイドＴＶ７に表示したときの欠落を防ぐことができる。さらに、インターネット端末装置１からの映像信号を表示した後、通常のＴＶの映像をＴＶ側で選択するようにした場合、インターネット端末装置１からの映像信号はＴＶ内の復調部に供給されなくなる。よって、今まで使用していたＴＶ側のアスペクトレシオ、すなわち表示モードに戻るので、使用上便利である。
【００１３】
ここで、ワイドＩＤ信号を重畳する一例を図３に示す。この一例では、ワイドＩＤ信号として、カラーサブキャリア周波数と同じ４．４３ＭＨｚの信号を用いた。ワイドＩＤ信号を重畳する位置は、VSync 信号の部分とし、クロマ信号に重畳する。まず、ワイドＩＤ信号を重畳する場合を説明する。
【００１４】
入力端子１１からクロマ信号Ｃが供給され、入力端子１２からカラーサブキャリア周波数ｆscが供給され、入力端子１３から輝度信号Ｙが供給される。入力端子１３を介して供給される輝度信号ＹがVideoSync セパレータ１４に入力される。VideoSync セパレータ１４では、入力された輝度信号ＹからCompositeSync 信号（図４Ａ）、VSync 信号（図４Ｂ）およびバーストフラグが生成される。CompositeSync 信号およびVSync 信号は、VideoSync セパレータ１４からリトリガブルマルチバイブレータ１５へ供給され、バーストフラグは、VideoSync セパレータ１４からＡＮＤゲート１７の一方の入力へ供給される。
【００１５】
リトリガブルマルチバイブレータ１５では、VSync 信号の立ち下がりからある一定期間Highとなる信号Ａ（図４Ｃ）が生成される。この信号ＡがHighとなる期間にワイドＩＤ信号は、重畳される。また、リトリガブルマルチバイブレータ１５では、CompositeSync 信号の立ち上がりからある一定期間Highとなる信号Ｂ（図４Ｄ）が生成される。この信号ＢがHighとなる位置にワイドＩＤ信号は、重畳される。信号Ａおよび信号Ｂは、リトリガブルマルチバイブレータ１５からＡＮＤゲート１６の入力にそれぞれ入力される。
【００１６】
ＡＮＤゲート１６では、信号Ａと信号Ｂとの論理積が演算される。その演算結果（図４Ｅ）にワイドＩＤ信号を重畳すれば良い。しかしながら、供給されるVSync 信号にもカラーバーストが重畳されているので、その部分を避けてワイドＩＤ信号を重畳したい。そこで、ＡＮＤゲート１６の演算結果と、VideoSync セパレータ１４からのバーストフラグとの論理積がＡＮＤゲート１７で演算される。バーストフラグは、カラーバーストが重畳されている期間だけLow となる信号である。ＡＮＤゲート１７の演算結果は、ワイドＩＤ信号を重畳するためのタイミング信号である。
【００１７】
入力端子１２からカラーサブキャリア周波数ｆscがスイッチ回路１８の入力の一方へ供給され、入力端子１１からクロマ信号Ｃがスイッチ回路１８の入力の他方へ供給される。このスイッチ回路１８は、ＡＮＤゲート１７からのタイミング信号によって制御される。アスペクトレシオ１６：９のワイドサイズ映像のときに、ワイドＩＤ信号としてカラーサブキャリア周波数ｆscが重畳されるように、スイッチ回路１８ではオン状態とされる。加算器１９において、選択されたカラーサブキャリア周波数ｆscがワイドＩＤ信号としてクロマ信号Ｃに重畳され、図５Ｂに示すような信号が生成される。生成された信号は、出力端子２０から出力される。
【００１８】
インターネット端末装置１からの映像信号のときは、ＴＶ側をアスペクトレシオ４：３の固定モードとしたいため、スイッチ回路１８は、オフ状態となる。このときクロマ信号Ｃには、図５Ａに示すように何の影響も与えない。
【００１９】
次に、ワイドＩＤ信号の検出する場合を説明する。また、加算器１９で生成された信号は、バンドパスフィルタ２１へ供給される。バンドパスフィルタ２１では、供給された信号から４．４３ＭＨｚの帯域のみ抜き取られる。クランプ回路２２では、抜き取られた４．４３ＭＨｚの帯域の信号レベルが一定に保たれる。エンベロープ検波回路２３では、供給された信号が所定のレベルであるか否かが検出される。この時点でワイドの場合、VSync 信号の部分がHighとなり、ノーマルの場合、low という信号になる。
【００２０】
ローパスフィルタ２４では、供給された信号に対してローパスフィルタが通され、積分される。コンパレータ２５では、コンパレートすることによって、ワイドサイズ映像の場合、常にHighとなり、ノーマルの場合は常にLow という信号になる。ＬＥＤドライバ２６では、供給される信号によって、ＬＥＤがワイドサイズ映像のときに点灯し、通常サイズ映像のときに消えるようにＬＥＤを駆動させる。
【００２１】
検出は本来ならば、ワイドＩＤ信号の有無を確認するだけで良いはずだが、VideoSync セパレータ１２が生成するバーストフラグは、VSync 信号の部分では実際のカラーバーストの位置とずれており、そのカラーバーストを避けてワイドＩＤ信号を重畳することができなかった。よって、カラーバーストよりもワイドＩＤ信号の方がレベルが大きいことを利用して検出を行った。
【００２２】
このように、ワイドＩＤ信号が重畳している映像のときは、そのワイドＩＤ信号が検出され、ＬＥＤが点灯される。
【００２３】
ワイドサイズ映像か通常サイズ映像かという情報は、ＴＶの方でも必要な情報である。そこで、インターネット端末装置１からＴＶへ伝送するクロマ信号Ｃの直流電圧をワイドサイズ映像ならば２．５Ｖ以上にするという方法で、情報を伝送する。この方法だと上述したような複雑な検出回路はモニタ側には必要なく、コンパレータだけの非常に簡単なものとすることができる。
【００２４】
ここで、ＡＶ信号に重畳するワイドＩＤ信号として直流電圧を用いた一例を図６に示す。端子４０とトランジスタ４３のベースとの間に、抵抗４１が挿入される。この端子４０からＡＶ信号に直流電圧を重畳するか否かのタイミング信号が供給される。トランジスタ４３のエミッタ・ベース間に、抵抗４２が挿入される。トランジスタ４３のエミッタには、＋５Ｖが供給され、そのコレクタと接地との間に、抵抗４４および４５が直列に挿入される。抵抗４４および４５の接続点は、Ｓ端子４８と接続される。＋５Ｖと接地との間に、抵抗４６および４７が直列に挿入される。抵抗４６および４７の接続点は、トランジスタ４３のコレクタと接続されると共に、Ｓ端子４９と接続される。Ｓ端子４８は、Ｓビデオのライン出力であり、Ｓ端子４９は、Ｓビデオのモニタ出力である。
【００２５】
次に、ＴＶに設けられる受信側の一例の回路図を図７に示す。電源ＶCCとトランジスタ５５のコレクタとの間に、抵抗５１が挿入される。電源ＶCCと発光ダイオード５３のアノードとの間に、抵抗５２が挿入される。発光ダイオード５３のカソードとトランジスタ５５のコレクタとが接続される。トランジスタ５５のベース・エミッタ間に、抵抗５６が挿入され、そのベースとＳ端子５７との間に、抵抗５４が挿入される。トランジスタ５５のエミッタは、接地される。Ｓ端子５７と接地との間に、抵抗５９が挿入される。その抵抗５９と並列になるように、Ｓ端子５７と接地との間に、コンデンサ５８および抵抗６０が直列に挿入される。
【００２６】
また、ハイビジョン放送は、現行のＴＶと比較すると横が１．３３倍長いワイドＴＶを用いる。このワイドＴＶが広く一般に浸透すれば、現行のＶＴＲでもワイドＴＶに対応したソフトウェアが現れることであろう。そうなると、再生する映像は、アスペクトレシオ１６：９のワイドサイズ映像なのか、アスペクトレシオ４：３の標準サイズ映像なのかという情報がＶＴＲやＴＶの方で必要になる。この情報は、ユーザがその都度入力しても良いが、それでは不便なので、ワイドサイズ映像のソフトウェアには、ワイドＩＤ信号を重畳し、再生時に重畳されたワイドＩＤ信号を検波し、ワイドサイズ映像なのか、標準サイズ映像なのかの判断を自動的に行う。
【００２７】
この実施形態では、ワイドＩＤ信号が重畳されていない場合、ワイドＴＶの表示画面をアスペクトレシオ４：３とすることによって、インターネット端末装置で獲得できた情報を、ワイドＴＶに完全に表示することができる。
【００２８】
【発明の効果】
この発明に依れば、従来のワイド表示モードやズーム表示モード状態で表示されているＴＶにインターネット端末装置からの映像信号を表示するときに、左右、上下の映像の欠落を防ぐことができる。
【００２９】
この発明に依れば、ＴＶの映像を見てるときのアスペクトレシオと、インターネット端末装置からの映像信号を表示するときのアスペクトレシオとを自動で変えることができる。
【図面の簡単な説明】
【図１】この発明が適用されるシステムの一実施形態のブロック図である。
【図２】この発明の画面の表示を説明するための略線図である。
【図３】この発明のワイドＩＤを重畳する一例のブロック図である。
【図４】この発明のワイドＩＤを重畳するときの一例のタイミングチャートである。
【図５】この発明のワイドＩＤ信号が重畳された一例の略線図である。
【図６】この発明のワイドＩＤを重畳する一例の回路図である。
【図７】この発明のワイドＩＤを検出する一例の回路図である。
【符号の説明】
１・・・インターネット端末装置、２・・・電話回線、３・・・サーバ、４・・・キーボード、５・・・ＡＶ信号線、６・・・ＴＶ、７・・・ワイドＴＶ
【図１】
0004178648.tif 000002
【図２】
0004178648.tif 000003
【図３】
0004178648.tif 000004
【図４】
0004178648.tif 000005
【図５】
0004178648.tif 000006
【図６】
0004178648.tif 000007
【図７】
0004178648.tif 000008